(57)【特許請求の範囲】
【請求項１】
複数の画像データを記憶メディアから直接読み出し、上記画像データに応じた複数の縮小画像をまとめて１枚の用紙に一覧印刷する機能を備えるとともに、他の情報処理装置との間で各種のデータをやり取りする機能を備えた画像処理装置であって、
上記記憶メディアから上記複数の画像データを読み出してそれぞれ縮小画像データを生成するとともに、これらの縮小画像データをディスプレイに一覧表示させるためのインデックス情報をハイパーテキスト形式で生成し、上記縮小画像データと上記インデックス情報とをインデックスファイルに格納して保存するインデックスデータ作成手段と、
上記縮小画像データ毎に、縮小画像データと当該縮小画像データの作成に用いられた上記画像データとを相互に関連付けるための関連情報のファイルをハイパーテキスト形式で生成するとともに、この関連情報のファイルと上記画像データと上記インデックスファイルとをカタログファイルに格納して保存するカタログファイル作成手段と、
上記カタログファイル作成手段により作成された上記カタログファイルを上記情報処理装置へ転送するカタログファイル転送手段とを有することを特徴とする画像処理装置。
【請求項２】
複数の音楽データが当該音楽データを連想させる縮小画像データとともに記憶された記憶メディアから縮小画像データを直接読み出し、上記音楽データに応じた複数の縮小画像データをまとめて一枚の用紙に一覧印刷する機能を備えるとともに、他の情報処理装置との間で各種のデータをやり取りする機能を備えた画像処理装置であって、
上記記憶メディアから上記複数の縮小画像データを読み出し、これらの縮小画像データをディスプレイに一覧表示させるためのインデックス情報をハイパーテキスト形式で生成し、上記縮小画像データと上記インデックス情報とをインデックスファイルに格納して保存するインデックスデータ作成手段と、
上記縮小画像データ毎に、縮小画像データと当該縮小画像データに対応する上記音楽データとを相互に関連付けるための関連情報のファイルをハイパーテキスト形式で生成するとともに、この関連情報のファイルと上記音楽データと上記インデックスファイルとをカタログファイルに格納して保存するカタログファイル作成手段と、
上記カタログファイル作成手段により作成された上記カタログファイルを上記情報処理装置へ転送するカタログファイル転送手段とを有することを特徴とする画像処理装置。
【請求項３】
上記カタログファイル転送手段は、上記カタログファイルを上記情報処理装置へ転送するのみならず、上記記憶メディアに対しても転送する、請求項１または２に記載の画像処理装置。
【請求項４】
コンピュータを、複数の画像データを記憶メディアから直接読み出し、上記画像データに応じた複数の縮小画像をまとめて１枚の用紙に一覧印刷する機能を備えるとともに、他の情報処理装置との間で各種のデータをやり取りする機能を備えた画像処理装置として機能させるためのプログラムを記憶したコンピュータ読み取り可能な記憶媒体であって、
上記コンピュータを、
上記記憶メディアから上記複数の画像データを読み出してそれぞれ縮小画像データを生成するとともに、これらの縮小画像データをディスプレイに一覧表示させるためのインデックス情報をハイパーテキスト形式で生成し、上記縮小画像データと上記インデックス情報とをインデックスファイルに格納して保存するインデックスデータ作成手段と、
上記縮小画像データ毎に、縮小画像データと当該縮小画像データの作成に用いられた上記画像データとを相互に関連付けるための関連情報のファイルをハイパーテキスト形式で生成するとともに、この関連情報のファイルと上記画像データと上記インデックスファイルとをカタログファイルに格納して保存するカタログファイル作成手段と、
上記カタログファイル作成手段により作成された上記カタログファイルを上記情報処理装置へ転送するカタログファイル転送手段と
して機能させるためのプログラムを記憶したコンピュータ読み取り可能な記憶媒体。
【発明の詳細な説明】
【０００１】
【発明の属する技術分野】
本発明は、記憶メディアから画像データを直接読み出し、複数の画像をまとめて１枚の用紙に一覧印刷できる機能を備えた画像処理装置に関する。
【０００２】
【従来の技術】
近年、デジタルカメラなどの普及により、記憶メディアに保存された画像データを直接読み出して印刷する、いわゆるダイレクト印刷機能を備えた印刷装置がある。また、この種の印刷装置には、記憶メディアから画像データを直接読み出して印刷するにあたり、複数の画像をまとめて１枚の用紙に一覧印刷できる機能、いわゆるサムネイル形式のインデックスプリント機能を備えた機種もある。このインデックスプリント機能を備えた機種によれば、この機能に応じて一覧印刷された結果を見たユーザは、好みの画像を選んで用紙に応じた大きさとして印刷させることができる。また、この種の印刷装置は、コンピュータに接続されてプリンタとしての役目を果たすほか、コンピュータとの間で画像データをやり取りすることもできる。
【０００３】
【発明が解決しようとする課題】
ところで、インターネットに接続されたコンピュータ上では、たとえば一覧表に示された複数の画像から好みの画像をクリックして拡大表示するといった、いわゆるハイパーリンク環境が実現されている。このハイパーリンク環境は、上記のインデックスプリント機能と似て非なるものであるが、大まかに表現された複数の画像から好みの画像を選択して拡大できる点においては共通すると言える。
【０００４】
ところが、ハイパーリンク環境を実現するためには、コンピュータ上でエディタなどのアプリケーションソフトウェアを用いてハイパーテキスト形式（ＨＴＭＬ：Hyper Text Markup Language）のカタログファイルを作成しなければならない。そのため、インデックスプリント機能を有する印刷装置を用いて画像データをコンピュータに取り込んでも、コンピュータ上でカタログファイルをユーザが作成しなければならず、面倒な編集作業が必要とされていた。
【０００５】
本発明は、上記の点に鑑みて提案されたものであって、コンピュータなどの情報処理装置で利用可能なカタログファイルを直接作成し、カタログファイルを作成するユーザの手間を省くことができる画像処理装置、およびそのような画像処理装置の動作を実現するためのプログラムを記憶した記憶媒体を提供することを目的とする。
【０００６】
【課題を解決するための手段】
上記目的を達成するために、請求項１に記載した発明の画像処理装置は、複数の画像データを記憶メディアから直接読み出し、上記画像データに応じた複数の縮小画像をまとめて１枚の用紙に一覧印刷する機能を備えるとともに、他の情報処理装置との間で各種のデータをやり取りする機能を備えた画像処理装置であって、上記記憶メディアから上記複数の画像データを読み出してそれぞれ縮小画像データを生成するとともに、これらの縮小画像データをディスプレイに一覧表示させるためのインデックス情報をハイパーテキスト形式で生成し、上記縮小画像データと上記インデックス情報とをインデックスファイルに格納して保存するインデックスデータ作成手段と、上記縮小画像データ毎に、縮小画像データと当該縮小画像データの作成に用いられた上記画像データとを相互に関連付けるための関連情報のファイルをハイパーテキスト形式で生成するとともに、この関連情報のファイルと上記画像データと上記インデックスファイルとをカタログファイルに格納して保存するカタログファイル作成手段と、上記カタログファイル作成手段により作成された上記カタログファイルを上記情報処理装置へ転送するカタログファイル転送手段とを有することを特徴とする。
【０００７】
このような画像処理装置によれば、コンピュータなどの情報処理装置で利用可能な画像に関するリンク形式のカタログファイルを直接作成することができるので、ユーザが情報処理装置を利用してカタログファイルをわざわざ作成する必要はなく、カタログファイルを作成する手間を省くことができる。
【０００８】
また、請求項２に記載した発明の画像処理装置は、複数の音楽データが当該音楽データを連想させる縮小画像データとともに記憶された記憶メディアから縮小画像データを直接読み出し、上記音楽データに応じた複数の縮小画像データをまとめて一枚の用紙に一覧印刷する機能を備えるとともに、他の情報処理装置との間で各種のデータをやり取りする機能を備えた画像処理装置であって、上記記憶メディアから上記複数の縮小画像データを読み出し、これらの縮小画像データをディスプレイに一覧表示させるためのインデックス情報をハイパーテキスト形式で生成し、上記縮小画像データと上記インデックス情報とをインデックスファイルに格納して保存するインデックスデータ作成手段と、上記縮小画像データ毎に、縮小画像データと当該縮小画像データに対応する上記音楽データとを相互に関連付けるための関連情報のファイルをハイパーテキスト形式で生成するとともに、この関連情報のファイルと上記音楽データと上記インデックスファイルとをカタログファイルに格納して保存するカタログファイル作成手段と、上記カタログファイル作成手段により作成された上記カタログファイルを上記情報処理装置へ転送するカタログファイル転送手段とを有することを特徴とする。
【０００９】
このような画像処理装置によれば、画像データのみならず、音楽データについてもカタログファイルに取り込むことができ、カタログファイルを画像表示用に限らず音楽観賞用としても利用することができる。
【００１０】
さらに、請求項３に記載した発明の画像総理装置は、請求項１または２に記載の画像処理装置であって、上記カタログファイル転送手段は、上記カタログファイルを上記情報処理装置へ転送するのみならず、上記記憶メディアに対しても転送する。
【００１１】
このような画像処理装置によれば、請求項１または２に記載の画像処理装置による効果に加えて、カタログファイルを記憶メディアを介してコンピュータなどの情報処理装置に読み込ませることができる。
【００１２】
また、請求項４に記載した発明の記憶媒体は、コンピュータを、複数の画像データを記憶メディアから直接読み出し、上記画像データに応じた複数の縮小画像をまとめて１枚の用紙に一覧印刷する機能を備えるとともに、他の情報処理装置との間で各種のデータをやり取りする機能を備えた画像処理装置として機能させるためのプログラムを記憶したコンピュータ読み取り可能な記憶媒体であって、上記コンピュータを、上記記憶メディアから上記複数の画像データを読み出してそれぞれ縮小画像データを生成するとともに、これらの縮小画像データをディスプレイに一覧表示させるためのインデックス情報をハイパーテキスト形式で生成し、上記縮小画像データと上記インデックス情報とをインデックスファイルに格納して保存するインデックスデータ作成手段と、上記縮小画像データ毎に、縮小画像データと当該縮小画像データの作成に用いられた上記画像データとを相互に関連付けるための関連情報のファイルをハイパーテキスト形式で生成するとともに、この関連情報のファイルと上記画像データと上記インデックスファイルとをカタログファイルに格納して保存するカタログファイル作成手段と、上記カタログファイル作成手段により作成された上記カタログファイルを上記情報処理装置へ転送するカタログファイル転送手段として機能させるためのプログラムを記憶したことを特徴とする。
【００１３】
このような記憶媒体によれば、記憶されたプログラムに基づいてＣＰＵを動作させることにより、請求項１に記載の画像処理装置の動作を実現することができる。
【００１４】
【発明の実施の形態】
以下、本発明の好ましい実施の形態について図面を参照して説明する。
【００１５】
図１は、本発明に係る画像処理装置の一実施形態として、ファクシミリ装置の構成を示したブロック図である。この図に示すように、本発明に係るファクシミリ装置Ａは、ＣＰＵ１０、ＮＣＵ１１、ＲＡＭ１２、モデム１３、ＲＯＭ１４、ＥＥＰＲＯＭ１５、ゲートアレイ１６、コーデック１７、ＤＭＡＣ１８、読取部２１、印刷部２２、操作部２３、表示部２４、スロット部２５、および外部接続部２６などを具備して概略構成されている。ＣＰＵ１０、ＮＣＵ１１、ＲＡＭ１２、モデム１３、ＲＯＭ１４、ＥＥＰＲＯＭ１５、ゲートアレイ１６、コーデック１７、およびＤＭＡＣ１８は、バス線２７により相互に接続されている。バス線２７には、アドレスバス、データバス、および制御信号線が含まれる。ゲートアレイ１６には、読取部２１、印刷部２２、操作部２３、表示部２４、スロット部２５、および外部接続部２６が接続されている。ＮＣＵ１１には、公衆電話回線２８が接続されている。また、外部接続部２６には、他の情報処理装置としてのパーソナルコンピュータＢが接続されている。
【００１６】
ＣＰＵ１０は、ファクシミリ装置全体の動作を制御する。ＮＣＵ１１は、公衆電話回線２８に接続されて網制御を行う。ＲＡＭ１２は、ＣＰＵ１０の作業領域や各種データの格納領域などを提供する。モデム１３は、ファクシミリデータの変調や復調などを行う。ＲＯＭ１４は、ＣＰＵ１０が実行すべきプログラムや設定値などのデータを記憶している。ＥＥＰＲＯＭ１５は、各種のフラグや設定データなどを記憶する。ゲートアレイ１６は、ＣＰＵ１０と各部２１〜２６とのインターフェイスとして機能する。コーデック１７は、ファクシミリデータの符号化や復号化を行う。ＤＭＡＣ１８は、主にＲＡＭ１２へのデータの書き込みや読み出しを行う。
【００１７】
読取部２１は、イメージセンサやＬＥＤ光源などを備え、原稿などから文字や図形などの画像を読み取る。印刷部２２は、たとえばインクジェット方式などにより文字や図形などの画像を印刷する。操作部２３は、テンキーや文字キーなどのキースイッチ群を備え、使用者のキー操作に応じた指令をＣＰＵ１０に伝える。表示部２４は、ＬＣＤなどのディスプレイを備え、動作状態や操作ガイダンスなどを表示する。スロット部２５は、たとえばスマートメディアやコンパクトフラッシュなどといった記憶メディアＣを接続するためのコネクタを備え、これらの記憶メディアＣを抜き差し可能としつつ、記憶メディアＣとの間でデータを読み書きするリーダ／ライタとしての機能を有する。外部接続部２６は、周辺機器として本ファクシミリ装置Ａを利用する場合にケーブルを介してパーソナルコンピュータＢと接続され、このパーソナルコンピュータＢとの間でデータや信号を交換する。接続インターフェイスとしては、ＲＳ−２３２Ｃ、ＵＳＢ、ＳＣＳＩ、ＩＥＥＥ１２８４、ＩＥＥＥ１３９４、ＬＡＮなどのほか、ＩｒＤＡやＢｌｕｅｔｏｏｔｈなどを適用できる。
【００１８】
要点について説明すると、本ファクシミリ装置Ａは、メインとなるファクシミリ通信機能のほか、図示しないデジタルカメラなどで撮影して記憶メディアＣに保存された画像データを直接読み出して印刷するといったダイレクト印刷機能を備える。また、ファクシミリ装置Ａは、ダイレクト印刷機能に基づき記憶メディアＣから画像データを直接読み出して印刷するにあたり、記憶メディアＣに保存されている画像データに応じた多数の縮小画像（サムネイル）をまとめて１枚の用紙に一覧印刷できる機能、いわゆるサムネイル形式のインデックスプリント機能を備える。このインデックスプリント機能によれば、マトリクス状に縮小画像を表現するサムネイル形式のインデックスデータに基づき多数の画像が１枚の用紙に一覧印刷され、その印刷結果を見てユーザは、好みの画像を選んで印刷させることができる。
【００１９】
さらに、このファクシミリ装置Ａは、パーソナルコンピュータＢとインターネットとの接続を公衆電話回線２８を通じて仲介する。インターネットに接続されたパーソナルコンピュータＢ上では、たとえば一覧表示された複数の画像から好みの画像をクリックすると、対応する元の画像データにアクセスして画像を拡大表示するといった、いわゆるハイパーリンク環境が実現されている。このハイパーリンク環境においては、インデックスデータと、その作成に用いられた元の画像データ、そして、インデックスデータと元の画像データのそれぞれとを相互に関連付けるための関連情報を含むリンク形式のカタログファイルが用いられる。代表的なリンク形式としては、ハイパーテキスト形式がある。
【００２０】
もちろん、パーソナルコンピュータＢ上でエディタなどのアプリケーションソフトウェアを用いてユーザが独自にカタログファイルを作成することができるが、注目すべきは、ファクシミリ装置Ａ自体がカタログファイルを自動的に作成してパーソナルコンピュータＢへと転送できる点にある。つまり、ファクシミリ装置ＡのＣＰＵ１０は、インデックスプリント機能に基づきインデックスデータを作成し、その際に記憶メディアＣから得た画像データとインデックスデータとを相互に関連付け、これらの関連情報を含むカタログファイルを作成してパーソナルコンピュータＢへと転送するのである。
【００２１】
カタログファイルをファクシミリ装置Ａから取り込んだパーソナルコンピュータＢでは、そのままカタログファイルに基づいて複数の画像を一覧表示できる一方、ユーザが好みの画像をクリックして拡大表示することができる。また、カタログファイルは、そのままパーソナルコンピュータＢを介してインターネット上のホームページサーバに転送して保存させておくことで、ホームページ用の閲覧ファイルとしても用いることができる。なお、記憶メディアＣは、デジタルの音楽データなどを再生する小型情報端末に用いられる場合もあるが、それに対応して音楽データを収めた記憶メディアＣがスロット部２５に挿入された場合、ファクシミリＡのＣＰＵ１０は、画像データからカタログファイルを作成するのと同様に、音楽データに基づいてカタログファイルを作成することができる。パーソナルコンピュータＢ上で音楽データを含むカタログファイルに基づいて一覧表示を行う場合には、各音楽データに対応するアイコンが表示され、ユーザが好みのアイコンをクリックすると、それに対応する音楽データが再生出力されることとなる。以上述べた詳細については後述する。
【００２２】
すなわち、ＣＰＵ１０は、画像データの複数を縮小してサムネイル形式のインデックスデータを作成するインデックスデータ作成手段と、インデックスデータ作成手段により作成されたインデックスデータと、その作成に用いられた画像データのそれぞれとを相互に関連付け、これらの関連情報に基づきリンク形式のカタログファイルを作成するカタログファイル作成手段と、カタログファイル作成手段により作成されたカタログファイルを情報処理装置へ転送するカタログファイル転送手段とを実現している。
【００２３】
また、ＲＯＭ１４は、複数の画像データを記憶メディアから直接読み出し、画像データに応じた複数の縮小画像をまとめて１枚の用紙に一覧印刷する機能を備えるとともに、他の情報処理装置との間で各種のデータをやり取りする機能を備えた画像処理装置を制御するためのプログラムを記憶した記憶媒体であって、画像データの複数を縮小してサムネイル形式のインデックスデータを作成するためのインデックスデータ作成プログラムと、インデックスデータ作成プログラムに基づき作成されたインデックスデータと、その作成に用いられた画像データのそれぞれとを相互に関連付け、これらの関連情報に基づきリンク形式のカタログファイルを作成するためのカタログファイル作成プログラムと、カタログファイル作成プログラムに基づき作成されたカタログファイルを情報処理装置へ転送するためのカタログファイル転送プログラムとを含むプログラムを記憶した記憶媒体を実現している。
【００２４】
次に、カタログファイル作成機能に基づく動作について図面を参照して説明する。
【００２５】
図２は、カタログファイル作成機能に基づくデータ処理手順を示すフローチャートであり、図３は、本実施の形態におけるカタログファイル作成前の記憶メディアに格納されているデータのファイル名を示す図であり、図４は、本実施の形態におけるカタログファイルの構造を示す図である。
【００２６】
まず、ＣＰＵ１０は、パーソナルコンピュータＢからカタログファイルを作成する要求があるか否かを監視している（Ｓ１）。ここで、カタログファイルを作成する旨の要求があった場合には（Ｓ１：ＹＥＳ）、スロット部２５に挿入された記憶メディアＣから直接画像データを読み出し、順次画像データをＲＡＭ１２に展開しながら縮小する（Ｓ２）。
【００２７】
本実施の形態において、記憶メディアＣには、山の上に太陽が映し出された画像（以下、サン画像という）に対応する画像データとしてＳＵＮ．ＪＰＧファイル３１、山の上に雲が映し出された画像（以下、クラウド画像という）に対応する画像データとしてＣＬＯＵＤ．ＪＰＧファイル３２、および山の上に月が映し出された画像（以下、ムーン画像という）に対応する画像データとしてＭＯＯＮ．ＪＰＧファイル３３の３つの画像データファイルが格納されているものとする。また、記憶メディアＣには、３つの各画像データファイルに対応して属性情報としてファイル名、ファイルの作成日、ファイルのデータ容量が格納されているものとする。したがって、カタログファイルを作成する旨の要求があった場合には、ＣＰＵ１０は、これら３つのファイルの画像データを読み出し、順次画像データをＲＡＭ１２に展開しながら縮小することとなる。
【００２８】
こうして画像データが縮小されると、ＣＰＵ１０は、縮小された縮小画像データに属性情報としてのファイル名、ファイルの作成日、ファイルのデータ容量を付加し、さらに、これら３つの縮小画像を一覧表示するためのインデックスデータを作成する（Ｓ３）。ここで、インデックスデータとは、縮小された縮小画像データに属性情報を付加したデータまたは縮小画像データそのものを言うが、本実施の形態においては、縮小された縮小画像データに属性情報としてのファイル名、ファイルの作成日、ファイルのデータ容量を付加したデータをいうものとする。
【００２９】
すなわち、Ｓ３の「インデックスデータ作成」においては、インデックスデータを格納したファイルとして、ＳＵＮ．ＪＰＧファイル３１に対応して、ＴＮ＿ＳＵＮ．ＪＰＧファイル３５が、ＣＬＯＵＤ．ＪＰＧファイル３２に対応してＴＮ＿ＣＬＯＵＤ．ＪＰＧファイル３６が、ＭＯＯＮ．ＪＰＧファイル３３に対応してＴＮ＿ＭＯＯＮ．ＪＰＧファイル３７がそれぞれ作成され、さらに、これらＴＮ＿ＳＵＮ．ＪＰＧファイル３５、ＴＮ＿ＣＬＯＵＤ．ＪＰＧファイル３６、およびＴＮ＿ＭＯＯＮ．ＪＰＧファイル３７に格納された縮小画像をディスプレイに表示させるＩＮＤＥＸ．ＨＴＭＬファイル３４が作成される（以下、ＴＮ＿ＳＵＮ．ＪＰＧファイル３５、ＴＮ＿ＣＬＯＵＤ．ＪＰＧファイル３６、ＴＮ＿ＭＯＯＮ．ＪＰＧファイル３７、およびＩＮＤＥＸ．ＨＴＭＬファイル３４をまとめてインデックスファイルという）。
【００３０】
次に、ＣＰＵ１０は、インデックスファイルの中のインデックスデータとその作成に用いた元の画像データに基づいてカタログファイルを作成する（Ｓ４）。具体的には、図４に示すように、ＴＯＰホルダ３８にインデックスファイル、サムネイルホルダ３９、サンホルダ４０、クラウドホルダ４１、およびムーンホルダ４２が格納され、サムネイルホルダ３９には、インデックスファイルのＴＮ＿ＳＵＮ．ＪＰＧファイル３５、ＴＮ＿ＣＬＯＵＤ．ＪＰＧファイル３６、およびＴＮ＿ＭＯＯＮ．ＪＰＧファイル３７が格納され、サン画像に関しては、ＳＵＮ．ＨＴＭＬファイル４３およびＳＵＮ．ＪＰＧファイル４４が作成され、これらのファイルがサンホルダ４０に格納される。また、クラウド画像に関しては、クラウドホルダ４１に、ＣＬＯＵＤ．ＨＴＭＬファイル４５およびＣＬＯＵＤ．ＪＰＧファイル４６が作成され、これらのファイルがクラウドホルダ４１に格納され、ムーン画像に関しては、ＭＯＯＮ．ＨＴＭＬファイル４７およびＭＯＯＮ．ＪＰＧファイル４８が作成され、これらのファイルがムーンホルダ４２に格納される。
【００３１】
一方、ＴＮ＿ＳＵＮ．ＪＰＧファイル３５は、ＳＵＮ．ＨＴＭＬファイル４３にリンクされ、ＴＮ＿ＣＬＯＵＤ．ＪＰＧファイル３６は、ＣＬＯＵＤ．ＨＴＭＬファイル４５にリンクされ、ＴＮ＿ＭＯＯＮ．ＪＰＧファイル３７は、ＭＯＯＮ．ＨＴＭＬファイル４７にリンクされるので、本カタログファイルが転送された場合には、複数の縮小画面がパーソナルコンピュータＢのディスプレイ上に一覧表示されるが、ユーザがその一覧表示された縮小画像のうち任意の縮小画像をマウスまたは入力ペンなどの入力手段によって選択した場合には、その縮小画像に対応する元の画像がパーソナルコンピュータＢのディスプレイ上に拡大表示されることになる。
【００３２】
図５および図６は、本実施の形態におけるパーソナルコンピュータＢの表示例を示す図である。すなわち、カタログファイルを転送されたパーソナルコンピュータＢにおいては、図５に示すように、ユーザの所定の操作により、ＩＮＤＥＸ．ＨＴＭＬの手続きに従って、そのＩＮＤＥＸ．ＨＴＭＬにリンクされた３つの縮小画像（ＴＮ＿ＳＵＮ．ＪＰＧ、ＴＮ＿ＣＬＯＵＤ．ＪＰＧ、およびＴＮ＿ＭＯＯＮ．ＪＰＧに基づく縮小画像）がファイル名、ファイルの作成日、およびファイルのデータ容量とともにディスプレイ上に表示され、その後、たとえば、ユーザがムーン画像をクリックした場合には、図６に示すような元の画像データ（ＴＮ＿ＭＯＯＮ．ＪＰＧにリンクされたＭＯＯＮ．ＨＴＭＬに基づくＭＯＯＮ．ＪＰＧ）がディスプレイ上に表示される。
【００３３】
次に、記憶メディアＣに音楽データが格納されている場合について説明する。音楽データの場合には、画像データと異なり、画像を縮小することができないため、具体的には、その音楽データを連想させるようなアイコンデータが縮小画像データとして各音楽データに対応して記憶メディアＣに格納されているものとする。すなわち、本実施の形態において、記憶メディアＣには、波の音楽データとしてＮＡＭＩ．ＷＡＶファイル６０が、山の音楽データ（山を連想させる鳥の声やセミの声）としてＹＡＭＡ．ＭＰ３ファイル６１が、夜の音楽データ（夜を連想させる音楽データ）としてＨＯＳＨＩ．ＷＡＶが格納され、波の音楽データに対応するアイコンデータファイルとしてＴＮ＿ＮＡＭＩ．ＪＰＧファイル５７が、山の音楽データ（山を連想させる鳥の声やセミの声）に対応するアイコンデータファイルとしてＴＮ＿ＹＡＭＡ．ＪＰＧファイル５８が、夜の音楽データ（夜を連想させる音楽データ）に対応するアイコンデータファイルとしてＴＮ＿ＨＯＳＨＩ．ＪＰＧファイル５９の３つの縮小画像データファイルが格納されているものとする。また、記憶メディアＣには、３つの各アイコンデータファイルに対応して属性情報としてファイル名、ファイルの作成日、ファイルのデータ容量が格納されているものとする。
【００３４】
図７は、本実施の形態における音楽データのカタログファイルの構造を示す図である。
【００３５】
記憶メディアＣに音楽データが格納されている場合において、カタログファイルを作成する旨の要求があった場合には、ＣＰＵ１０は、スロット部２５に挿入された記憶メディアＣから直接音楽データに対応するアイコンデータを読み出す。そして、ＣＰＵ１０は、読み出されたアイコンデータに属性情報としてのファイル名、ファイルの作成日、ファイルのデータ容量を付加し、さらに、これら３つのアイコンを一覧表示するためのインデックスデータを作成する。すなわち、ＣＰＵ１０は、インデックスデータを格納したファイルとして、ＴＮ＿ＮＡＭＩ．ＪＰＧファイル５７、ＴＮ＿ＹＡＭＡ．ＪＰＧファイル５８、およびＴＮ＿ＨＯＳＨＩ．ＪＰＧファイル５９がそれぞれ作成され、さらに、これらＴＮ＿ＮＡＭＩ．ＪＰＧファイル５７、ＴＮ＿ＹＡＭＡ．ＪＰＧファイル５８、およびＴＮ＿ＨＯＳＨＩ．ＪＰＧファイル５９に格納されたアイコンをディスプレイに表示させるＩＮＤＥＸ．ＨＴＭＬファイル５６が作成される（以下、ＴＮ＿ＮＡＭＩ．ＪＰＧファイル５７、ＴＮ＿ＹＡＭＡ．ＪＰＧファイル５８、およびＴＮ＿ＨＯＳＨＩ．ＪＰＧファイル５９、およびＩＮＤＥＸ．ＨＴＭＬファイル５６をまとめてインデックスファイルという）。
【００３６】
次に、ＣＰＵ１０は、インデックスファイルの中のアイコンデータとその作成に用いた元の画像データに基づいてカタログファイルを作成する。具体的には、図７に示すように、ＴＯＰホルダ５１にインデックスファイル、アイコンホルダ５２、波ホルダ５３、山ホルダ５４、および星ホルダ５５が格納され、アイコンホルダ５２には、インデックスファイルのＴＮ＿ＮＡＭＩ．ＪＰＧファイル５７、ＴＮ＿ＹＡＭＡ．ＪＰＧファイル５８、およびＴＮ＿ＨＯＳＨＩ．ＪＰＧファイル５９が格納され、さらに、波の音楽データに関しては、ＮＡＭＩ．ＷＡＶファイル６０が波ホルダ５３に格納される。山の音楽データに関しては、ＹＡＭＡ．ＭＰ３ファイル６１が山ホルダ５４に格納され、夜の音楽データに関しては、ＨＯＳＨＩ．ＷＡＶファイル６２が星ホルダ５５に格納される。
【００３７】
一方、ＴＮ＿ＮＡＭＩ．ＪＰＧファイル５７は、ＮＡＭＩ．ＷＡＶファイル６０にリンクされ、ＴＮ＿ＹＡＭＡ．ＪＰＧファイル５８は、ＹＡＭＡ．ＭＰ３ファイル６１にリンクされ、ＴＮ＿ＨＯＳＨＩ．ＪＰＧファイル５９は、ＨＯＳＨＩ．ＷＡＶファイル６２にリンクされるので、本カタログファイルが転送された場合には、複数のアイコンがパーソナルコンピュータＢのディスプレイ上に一覧表示されるが、ユーザがその一覧表示されたアイコンのうち任意のアイコンをマウスまたは入力ペンなどの入力手段によって選択した場合には、そのアイコンに対応する音がパーソナルコンピュータＢから発声される。
【００３８】
図８は、本実施の形態におけるパーソナルコンピュータＢの表示例を示す図である。すなわち、カタログファイルを転送されたパーソナルコンピュータＢにおいては、図８に示すように、ユーザの所定の操作により、ＩＮＤＥＸ．ＨＴＭＬの手続きに従って、そのＩＮＤＥＸ．ＨＴＭＬにリンクされた３つのアイコン（ＴＮ＿ＮＡＭＩ．ＪＰＧ、ＴＮ＿ＹＡＭＡ．ＪＰＧ、およびＴＮ＿ＨＯＳＨＩ．ＪＰＧに基づくアイコン）がファイル名、ファイルの作成日、およびファイルのデータ容量とともにディスプレイ上に表示され、その後、たとえば、ユーザが波の音楽データに対応するアイコンをクリックした場合には、波の音がパーソナルコンピュータＢから発声される。
【００３９】
以上のようにしてカタログファイルを作成すると、ＣＰＵ１０は、最終的にそのカタログファイルをパーソナルコンピュータＢへと転送し（Ｓ５）、この一連の処理を終える。パーソナルコンピュータＢでは、カタログファイルがハードディスク装置などに格納され、ユーザがホームページ表示用のブラウザなどを用いてカタログファイルを開くと、カタログファイルのページデータに基づき画面上に複数のイメージ画像が一覧表示される。さらに、一覧表示された画面上で好みのイメージ画像をユーザがクリックすると、そのリンク先に対応する元の画像データが呼び出され、その画像データに応じた画像が画面上に表示される。カタログファイルに音楽データが含まれる場合には、ページデータに基づく表示画面上でアイコンをクリックすることにより、そのアイコンに対応した音楽データが再生出力されることとなる。
【００４０】
なお、カタログファイルは、パーソナルコンピュータＢへと転送するだけでなく、記憶メディアＣに対しても転送することができる。この場合、記憶メディアＣを介して小型情報端末との間でカタログファイルをやり取りすることができる。また、カタログファイルは、公衆電話回線２８を通じてインターネット上のホームページサーバに転送して保存させておくことができ、そうした場合、不特定多数のインターネットユーザによるアクセスに応じてカタログファイルの閲覧が可能とされる。
【００４１】
Ｓ１において、カタログファイルを作成する要求がない場合（Ｓ１：ＮＯ）、ＣＰＵ１０は、このカタログファイル作成処理を開始しない。
【００４２】
したがって、上記ファクシミリ装置Ａによれば、パーソナルコンピュータＢや小型情報端末などで利用可能なハイパーテキスト形式のカタログファイルを直接作成することができるので、ユーザがパーソナルコンピュータＢ上でホームページ作成用のエディタなどを用いてカタログファイルをわざわざ作成する必要はなく、カタログファイルを作成する手間を省くことができる。
【００４３】
なお、本発明は、上記の実施形態に限定されるものではない。
【００４４】
上記の実施形態では、本発明に係る画像処理装置をファクシミリ装置Ａとしたが、ファクシミリ通信機能のないダイレクト印刷やインデックスプリントの可能な単なる印刷装置であっても良い。
【００４５】
また、本実施の形態では、カタログファイルを、画像データについては、ＴＯＰホルダ３８にインデックスファイル、サムネイルホルダ３９、サンホルダ４０、クラウドホルダ４１、およびムーンホルダ４２を格納し、サムネイルホルダ３９にインデックスファイルのＴＮ＿ＳＵＮ．ＪＰＧファイル３５、ＴＮ＿ＣＬＯＵＤ．ＪＰＧファイル３６、およびＴＮ＿ＭＯＯＮ．ＪＰＧファイル３７を格納し、サンホルダ４０にＳＵＮ．ＨＴＭＬファイル４３およびＳＵＮ．ＪＰＧファイル４４を格納し、クラウドホルダ４１に、ＣＬＯＵＤ．ＨＴＭＬファイル４５およびＣＬＯＵＤ．ＪＰＧファイル４６を格納し、ムーンホルダ４２にＭＯＯＮ．ＨＴＭＬファイル４７およびＭＯＯＮ．ＪＰＧファイル４８を格納したものとしたが、元の画像データに対応するＳＵＮ．ＪＰＧファイル４４、ＣＬＯＵＤ．ＪＰＧファイル４６、およびＭＯＯＮ．ＪＰＧファイル４８を削除したファイル構造のもの、またはインデックスファイルのみの構造のものをカタログファイルとしてもよい。その場合には、ＳＵＮ．ＪＰＧファイル４４、ＣＬＯＵＤ．ＪＰＧファイル４６、およびＭＯＯＮ．ＪＰＧファイル４８は、記憶メディアＣに保存されることとなるが、この場合には、元の画像データが存在する記憶メディアＣのアドレスがカタログファイルを転送されたパーソナルコンピュータから解らないため、記憶メディアＣのアドレスをＩＮＤＥＸ．ＨＴＭＬファイル３４に格納しておく必要がある。そうすれば、カタログファイルを他のパーソナルコンピュータやインターネット上のサーバなどに転々と転送した場合においても、ユーザは、元の画像データをディスプレイ上で視認することができる。
【００４６】
また、ＩＮＤＥＸ．ＨＴＭＬファイル３４に元の画像データの転送先のアドレスを格納するようにすれば、記憶メディアＣに格納された元の画像データを他のメディアやパーソナルコンピュータなどに転送することができ、その場合においても、ユーザは、元の画像データを身近にあるディスプレイ上で視認することができる。
【００４７】
一方、本実施の形態では、カタログファイルを、音楽データについては、ＴＯＰホルダ５１にインデックスファイル、アイコンホルダ５２、波ホルダ５３、山ホルダ５４、および星ホルダ５５を格納し、アイコンホルダ５２にインデックスファイルのＴＮ＿ＮＡＭＩ．ＪＰＧファイル５７、ＴＮ＿ＹＡＭＡ．ＪＰＧファイル５８、およびＴＮ＿ＨＯＳＨＩ．ＪＰＧファイル５９を格納し、波ホルダ５３にＮＡＭＩ．ＷＡＶファイル６０を格納し、山ホルダ５４に、ＹＡＭＡ．ＭＰ３ファイル６１を格納し、星ホルダ５５にＨＯＳＨＩ．ＷＡＶファイル６２を格納したものとしたが、元の音楽データに対応するＮＡＭＩ．ＷＡＶファイル６０、ＹＡＭＡ．ＭＰ３ファイル６１、およびＨＯＳＨＩ．ＷＡＶファイル６２を削除したファイル構造のもの、またはインデックスファイルのみの構造のものをカタログファイルとしてもよい。その場合には、ＮＡＭＩ．ＷＡＶファイル６０、ＹＡＭＡ．ＭＰ３ファイル６１、およびＨＯＳＨＩ．ＷＡＶファイル６２は、記憶メディアＣに保存されることとなるが、この場合も画像データの場合と同様に、記憶メディアＣのアドレスをＩＮＤＥＸ．ＨＴＭＬファイル３４に格納しておく必要がある。そうすれば、カタログファイルを他のパーソナルコンピュータやインターネット上のサーバなどに転送された場合においても、ユーザは、元の音楽データを聴くことができる。
【００４８】
カタログファイルには、画像データや音楽データが含まれるとしたが、その他の種類に属する映像データや３次元データなどを含むとしても良い。
【００４９】
カタログファイルの形式としては、一例としてハイパーテキスト形式（ＨＴＭＬ）としたが、それ以外の形式、たとえばＸＭＬ（eXtended Markup Language）やダイナミックＨＴＭＬ、あるいはジャバスクリプトによる記述形式などとしても良い。
【００５０】
【発明の効果】
以上説明したように、請求項１に記載した発明の画像処理装置によれば、コンピュータなどの情報処理装置で利用可能な画像に関するリンク形式のカタログファイルを直接作成することができるので、ユーザが情報処理装置を利用してカタログファイルをわざわざ作成する必要はなく、カタログファイルを作成する手間を省くことができる。
【００５１】
また、請求項２に記載した発明の画像処理装置によれば、画像データのみならず、音楽データについてもカタログファイルに取り込むことができ、カタログファイルを画像表示用に限らず音楽観賞用としても利用することができる。
【００５２】
さらに、請求項３に記載した発明の画像総理装置によれば、請求項１または２に記載の画像処理装置による効果に加えて、カタログファイルを記憶メディアを介してコンピュータなどの情報処理装置に読み込ませることができる。
【００５３】
また、請求項４に記載した発明の記憶媒体によれば、記憶されたプログラムに基づいてＣＰＵを動作させることにより、請求項１に記載の画像処理装置の動作を実現することができる。
【図面の簡単な説明】
【図１】本発明に係る画像処理装置の一実施形態として、ファクシミリ装置の構成を示したブロック図である。
【図２】カタログファイル作成機能に基づくデータ処理手順を示すフローチャートである。
【図３】本実施の形態におけるカタログファイル作成前の記憶メディアに格納されているデータのファイル名を示す図である。
【図４】本実施の形態におけるカタログファイルの構造を示す図である。
【図５】パーソナルコンピュータにインデックスデータを表示した状態を示す図である。
【図６】パーソナルコンピュータに元の画像データを表示した状態を示す図である。
【図７】本実施の形態の音楽データにおけるカタログファイルの構造を示す図である。
【図８】パーソナルコンピュータに音楽データに対応するアイコンを表示した状態を示す図である。
【符号の説明】
１０  ＣＰＵ
１１  ＮＣＵ
１２  ＲＡＭ
１３  モデム
１４  ＲＯＭ
１５  ＥＥＰＲＯＭ
１６  ゲートアレイ
１７  コーデック
１８  ＤＭＡＣ
２１  読取部
２２  印刷部
２３  操作部
２４  表示部
２５  スロット部
２６  外部接続部
Ａ    ファクシミリ装置
Ｂ    パーソナルコンピュータ
Ｃ    記憶メディア
【図１】
0003606190.tif 000002
【図２】
0003606190.tif 000003
【図３】
0003606190.tif 000004
【図４】
0003606190.tif 000005
【図５】
0003606190.tif 000006
【図６】
0003606190.tif 000007
【図７】
0003606190.tif 000008
【図８】
0003606190.tif 000009